(57)【要約】  【目的】  現在普及しているハードウェアやインフラストラクチャーを用いて、顔写真の付いた名刺の便利さと、個人情報管理とを両立させる技術を提供する。  【構成】  名刺に印刷するための顔写真データを受信する名刺元データ受信手段と、  その顔写真データにおける少なくとも顔部分の一部または全部を複数に分割するとともに、その分割した部分の配置を分割前と異ならせるように並べ替えて加工済みデータとする顔写真データ加工手段と、  その顔写真データ加工手段が加工した加工済みデータおよび名刺用の文字データを用いて名刺を印刷する名刺印刷手段と、を備えた名刺印刷装置とする。【選択図】  図１
2017007092.tif 000002
【特許請求の範囲】
【請求項１】
名刺を印刷するための名刺印刷装置であって、
名刺に印刷するための顔写真データを受信する名刺元データ受信手段と、
その顔写真データにおける少なくとも顔部分の一部または全部を複数に分割するとともに、その分割した部分の配置を分割前と異ならせるように並べ替えて加工済みデータとする顔写真データ加工手段と、
その顔写真データ加工手段が加工した加工済みデータおよび名刺用の文字データを用いて名刺を印刷する名刺印刷手段と、
を備えた名刺印刷装置。
【請求項２】
前記の顔写真データ加工手段は、顔写真データにおける少なくとも顔部分の一部または全部を分割した際にできる各コマの一部または全部について、元の状態から回転させることとした請求項１に記載の名刺印刷装置。
【請求項３】
名刺を印刷するための名刺印刷装置であって、
名刺に印刷するための顔写真データを受信する名刺元データ受信手段と、
その顔写真データにおける少なくとも顔部分の一部または全部を複数に分割するとともに、その分割した部分を分割前と異ならせるように回転させて加工済みデータとする顔写真データ加工手段と、
その顔写真データ加工手段が加工した加工済みデータおよび名刺用の文字データを用いて名刺を印刷する名刺印刷手段と、を備えた名刺印刷装置。
【請求項４】
前記の顔写真データ加工手段は、顔写真データにおける少なくとも顔部分の一部または全部を分割した際にできる各コマに対して隣り合うコマとの間に重複領域を設定し、並べ替えの際には、その重複領域とともに並べ替えることとした請求項１から請求項３のいずれかに記載の名刺印刷装置。
【請求項５】
印刷に係る名刺の紙面の一部には、二次元バーコードを印刷することとし、
その二次元バーコードは、インターネット接続可能なカメラ付きの情報端末にて読み取ることで前記顔写真データ加工手段が加工した加工済みデータを、元通りに復元するためのアプリケーションプログラムをダウンロード可能なサイトへアクセスするためのデータとした請求項１から請求項４のいずれかに記載の名刺印刷装置。
【請求項６】
名刺の印刷を実行させるために名刺印刷装置を制御するプログラムであって、
名刺に印刷するための顔写真データを受信する名刺元データ受信手順と、
その顔写真データにおける少なくとも顔部分の一部または全部を複数に分割するとともに、その分割した部分の配置を分割前と異ならせるように並べ替えて加工済みデータとする顔写真データ加工手順と、
その顔写真データ加工手順にて加工した加工済みデータおよび名刺用の文字データを用いて名刺を印刷する名刺印刷手順と、
を名刺印刷装置における制御装置たるコンピュータに実行させるためのコンピュータプログラム。
【請求項７】
前記の顔写真データ加工手順は、
顔写真データにおける少なくとも顔部分の一部または全部を分割した際にできる各コマの一部または全部について元の状態から回転させる回転手順を含むこととした請求項６に記載のコンピュータプログラム。
【請求項８】
名刺の印刷を実行させるために名刺印刷装置を制御するプログラムであって、
名刺に印刷するための顔写真データを受信する名刺元データ受信手順と、
その顔写真データにおける少なくとも顔部分の一部または全部を複数に分割するとともに、その分割した部分を分割前と異ならせるように回転させて加工済みデータとする顔写真データ加工手順と、
その顔写真データ加工手順にて加工した加工済みデータおよび名刺用の文字データを用いて名刺を印刷する名刺印刷手順と、
を名刺印刷装置における制御装置に実行させるためのコンピュータプログラム。
【請求項９】
前記の顔写真データ加工手順は、
顔写真データにおける少なくとも顔部分の一部または全部を分割した際にできる各コマに対して隣り合うコマとの間に重複領域を設定する重複領域設定手順と、
その重複領域を設定した各コマを並べ替える並べ替え手順と、
を含むこととした請求項６から請求項８のいずれかに記載のコンピュータプログラム。
【発明の詳細な説明】
【技術分野】
【０００１】
本発明は、判別不能化した顔写真を名刺に印刷する技術、判別不能化した顔写真を判読可能とするためのソフトウェア技術に関する。
【背景技術】
【０００２】
名刺は、主にビジネスに用いられる。最近では、学生、リタイア後のシニア世代でも、名刺を使う。
プライベートな趣味において、同じ趣味を持つグループのメンバーの交流に使われたりもする。
【０００３】
名刺が普及する背景には、名刺の作成やその印刷が、パーソナルユースのパソコンやプリンタを用いることでも可能となってきたからであろう。
スマートフォンやタブレット型端末が普及し、名刺に掲載された情報を赤外線通信などによって交換するといった風景も、頻繁に見られるようになった。  しかし、ほどよいサイズの紙に印刷された物理的な名刺の手軽さを超えられずにいる。
【０００４】
多くの名刺交換をしても、また時間が経っても思い出して貰えるように、との配慮から、顔写真を一部に入れる名刺も少なくない。顔写真という画像データは、記憶を呼び起こすのに優れているからであろう。
特許文献１には、名刺データを交換する際の画像データを取得するための電子名刺交換システムが開示されている。
【０００５】
限られたスペースである名刺の紙面に、多くの情報を全て記載することは困難である。その問題を解決するため、バーコード（主に二次元バーコード）を印刷しておく、ということも普及しつつある。  すなわち、そのバーコードを携帯情報端末の光学リーダ（付属のカメラおよび予めインストールされたソフトウェア）で読み取るとインターネットへアクセスし、該当ページに掲載された情報を閲覧できるようにする技術である。
【０００６】
特許文献２には、携帯情報端末を用いて二次元バーコードを読み取ってアクセスした先の情報を取得して管理するための情報処理システムが開示されている。
【先行技術文献】
【特許文献】
【０００７】
【特許文献１】特開２００３−１８７０５７号公報
【特許文献２】特開２００３−３６４１５号公報
【発明の概要】
【発明が解決しようとする課題】
【０００８】
近年、個人情報については、法律の制定と相まって、個人でも法人でも慎重な取り扱いが求められるようになった。
たとえば、顔写真付きの名刺が机の上に放置されていたとすると、その机の前を通った人は、その名刺の氏名と顔写真をのぞき込むことができてしまう。
顔写真の付いた名刺の便利さと、個人情報管理とを両立させられる技術が潜在的に求められていると考えられるが、そのような技術は提供されていない。
【０００９】
本発明が解決しようとする課題は、現在普及しているハードウェアやインフラストラクチャーを用いて、顔写真の付いた名刺の便利さと、個人情報管理とを両立させる技術を提供することにある。
【課題を解決するための手段】
【００１０】
（第一の発明）
第一の発明は、  名刺を印刷するための名刺印刷装置に係る。
すなわち、名刺に印刷するための顔写真データを受信する名刺元データ受信手段と、  その顔写真データにおける少なくとも顔部分の一部または全部を複数に分割するとともに、その分割した部分の配置を分割前と異ならせるように並べ替えて加工済みデータとする顔写真データ加工手段と、  その顔写真データ加工手段が加工した加工済みデータおよび名刺用の文字データを用いて名刺を印刷する名刺印刷手段と、を備えた名刺印刷装置である。
【００１１】
（用語説明）
「顔写真データ加工手段」において、「少なくとも顔部分の一部または全部」としているのは、顔写真データが全身または上半身が写っているような写真であれば、顔と認識できる部分のことである。なお、「顔部分の一部」は、少なくとも目および目の周囲を含む。
「分割」の際の形状は、正方形が最も一般的だが、正六角形、円などでもよい。
【００１２】
（作用）
名刺に印刷するための顔写真データを名刺元データ受信手段が受信する。
顔写真データ加工手段は、その顔写真データにおける少なくとも顔部分の一部または全部を認識する。そして、その顔部分の一部または全部の複数に分割するとともに、その分割した部分の配置を分割前と異ならせるように並べ替えて加工済みデータとする。
その顔写真データ加工手段が加工した加工済みデータおよび名刺用の文字データを用いて、名刺印刷手段が名刺を印刷する。  印刷された名刺は、顔部分の一部または全部が分割されて並べ替えられているので、一見してもどのような顔であるか、判別できない。このため、個人情報の管理は簡単となる。
【００１３】
なお、顔部分の一部または全部が分割されて並べ替えられている名刺から、顔写真を復元するには、カメラ付きの情報端末（代表的にはスマートフォン）へ所定のソフトウェア（以下、「復元アプリ」とする）をインストールする。そのソフトウェアを起動させてカメラをかざすと、当該情報端末の液晶画面へ、加工前の顔写真データを復元できる。（図３参照）
【００１４】
（第一の発明のバリエーション１）
第一の発明は、以下のように形成してもよい。
すなわち、前記の顔写真データ加工手段は、顔写真データにおける少なくとも顔部分の一部または全部を分割した際にできる各コマの一部または全部を回転させることとしてもよい。
【００１５】
（用語説明）
「回転」の角度は、分割した形状が正方形の場合には、時計回りに９０度、１８０度、２７０度であり、正六角形の場合には、６０度、１２０度、１８０度、２４０度、３００度であり、円の場合には、任意の角度である。
【００１６】
（作用）
顔写真データにおける少なくとも顔部分の一部または全部を分割した際にできる各コマの一部または全部を、顔写真データ加工手段が回転させる。印刷された名刺は、一見してもどのような顔であるか、判別できない。このため、個人情報の管理は簡単となる。
【００１７】
（第二の発明）
第二の発明も、  名刺を印刷するための名刺印刷装置に係る。
すなわち、名刺に印刷するための顔写真データを受信する名刺元データ受信手段と、  その顔写真データにおける少なくとも顔部分の一部または全部を複数に分割するとともに、その分割した部分を分割前と異ならせるように回転させて加工済みデータとする顔写真データ加工手段と、  その顔写真データ加工手段が加工した加工済みデータおよび名刺用の文字データを用いて名刺を印刷する名刺印刷手段と、を備えた名刺印刷装置である。
【００１８】
（用語説明）
「分割」の際の形状は、正方形が最も一般的だが、正六角形、円などでもよい。
「回転」の角度は、分割した形状が正方形の場合には、時計回りに９０度、１８０度、２７０度であり、正六角形の場合には、６０度、１２０度、１８０度、２４０度、３００度であり、円の場合には、任意の角度である。
【００１９】
（作用）
顔写真データにおける少なくとも顔部分の一部または全部を分割した際にできる各コマの一部または全部を、顔写真データ加工手段が回転させる。印刷された名刺は、一見してもどのような顔であるか、判別できない。このため、個人情報の管理は簡単となる。
【００２０】
（第一の発明および第二の発明のバリエーション１）
第一の発明および第二の発明は、以下のように形成してもよい。
すなわち、前記の顔写真データ加工手段は、顔写真データにおける少なくとも顔部分の一部または全部を分割した際にできる各コマに対して隣り合うコマとの間に重複領域を設定し、並べ替えの際には、その重複領域とともに並べ替えることとしてもよい。
【００２１】
（用語説明）
「重複領域」とは、顔写真加工済みデータを復元するための携帯情報端末のカメラ（入力装置）や画面（出力装置）のパフォーマンスが高くない場合などにおいて、復元の際に生じる不具合を予め防止するために設定する。このため、加工前の顔写真データよりも顔写真加工済みデータの方が、占有面積が大きくなる。
【００２２】
（作用）
顔写真データ加工手段は、顔写真データにおける少なくとも顔部分の一部または全部を分割した際にできる各コマに対して隣り合うコマとの間に重複領域を設定する。  並べ替えの際には、その重複領域とともに並べ替える。
なお、復元アプリケーションをインストールしたカメラ付きの情報端末のカメラをかざすと、当該情報端末の加工前の顔写真データが復元される。重複領域の存在により、カメラや画面のパフォーマンスが高くない場合に発生しやすい、隣り合うコマの境界部分を確実に復元することができる。
【００２３】
（第一の発明および第二の発明のバリエーション２）
第一の発明および第二の発明は、以下のように形成してもよい。
すなわち、印刷に係る名刺の紙面の一部には、二次元バーコードを印刷することとし、  その二次元バーコードは、インターネット接続可能なカメラ付きの情報端末にて読み取ることで前記顔写真データ加工手段が加工した加工済みデータを、元通りに復元するためのアプリケーションプログラムをダウンロード可能なサイトへアクセスするためのデータとする。
【００２４】
（用語説明）
二次元バーコードを印刷することとする「印刷に係る名刺の紙面の一部」とは、両面印刷の名刺の場合における裏面であることが望ましい。ただし、裏面であることに限られる趣旨ではない。
【００２５】
（作用）
インターネット接続可能なカメラ付きの情報端末にて、名刺の紙面に印刷された二次元バーコードを読み取る。すると、その情報端末は、アプリケーションプログラムをダウンロード可能なサイトへアクセスする。そこで、情報端末の操作者が当該情報端末にダウンロードを行わせる。すると、当該情報端末は、顔写真データ加工手段が加工した加工済みデータを、元通りに復元することが可能となる。
換言すれば、加工済みデータを復元して顔写真を見たいと考える者は、インターネット接続可能なカメラ付きの情報端末にて上記の操作を行わなければならないということである。この操作を面倒だからやりたくない、という者からは顔写真というデータが保護されることとなる。
【００２６】
（第三の発明）
第三の発明は、名刺の印刷を実行させるために名刺印刷装置を制御するプログラムに係る。
そのプログラムは、  名刺に印刷するための顔写真データを受信する名刺元データ受信手順と、  その顔写真データにおける少なくとも顔部分の一部または全部を複数に分割するとともに、その分割した部分の配置を分割前と異ならせるように並べ替えて加工済みデータとする顔写真データ加工手順と、  その顔写真データ加工手順にて加工した加工済みデータおよび名刺用の文字データを用いて名刺を印刷する名刺印刷手順と、を名刺印刷装置における制御装置に実行させるためのコンピュータプログラムである。
【００２７】
（第三の発明のバリエーション）
第三の発明における顔写真データ加工手順は、  顔写真データを分割した際にできる各コマの一部または全部を回転させる回転変更手順を含むこととしてもよい。
【００２８】
（第四の発明）
第四の発明もまた、名刺の印刷を実行させるために名刺印刷装置を制御するプログラムに係る。
すなわち、名刺に印刷するための顔写真データを受信する名刺元データ受信手順と、  その顔写真データにおける少なくとも顔部分の一部または全部を複数に分割するとともに、その分割した部分を分割前と異ならせるように回転させて加工済みデータとする顔写真データ加工手順と、  その顔写真データ加工手順にて加工した加工済みデータおよび名刺用の文字データを用いて名刺を印刷する名刺印刷手順と、を名刺印刷装置における制御装置に実行させるためのコンピュータプログラムである。
【００２９】
（第三および第四の発明のバリエーション）
第三および第四の発明は、以下のように形成してもよい。
すなわち、前記の顔写真データ加工手順は、  顔写真データにおける少なくとも顔部分の一部または全部を分割した際にできる各コマに対して隣り合うコマとの間に重複領域を設定する重複領域設定手順と、  その重複領域を設定した各コマを並べ替える並べ替え手順と、を含むこととしてもよい。
【００３０】
第三および第四の発明は、記録媒体へ格納して提供することもできる。また、通信インフラを用いてインストール可能とすることによって提供することもできる。
【発明の効果】
【００３１】
本発明によれば、現在普及しているハードウェアやインフラストラクチャーを用いて、顔写真の付いた名刺の便利さと、個人情報管理とを両立させる技術を提供することができた。
【図面の簡単な説明】
【００３２】
【図１】本発明における第一の実施形態を概念的に示すハードウェア構成およびデータ加工手順を示す図である。
【図２】本発明における第二の実施形態を概念的に示すハードウェア構成およびデータ加工手順を示す図である。
【図３】本発明を実施した場合の名刺に印刷された顔写真加工データを復元する手順を示す概念図である。
【図４】顔写真データを加工する手順の一例を示す図である。
【図５】顔写真データにおける背景などの「非主要領域」を用いてイニシャルを表示させる加工手順の一例を示す図である。
【図６】スマートフォンの画面に表示された名刺、および顔写真加工データを復元したときのスマートフォンの画面を示す写真である。
【図７】画像分割と重複領域の設定とを含めた顔写真加工データの加工手順および復元手順を示すために用いた写真である。
【図８】重複領域を設定せずに画像を分割をした場合に生じる不具合を示すための写真である。
【図９】本発明における第三の実施形態を概念的に示すハードウェア構成およびデータ加工手順を示す図である。
【図１０】本発明における第四の実施形態を概念的に示すハードウェア構成およびデータ加工手順を示す図である。
【発明を実施するための形態】
【００３３】
以下、本発明を図面に基づいて更に説明する。ここで用いる図面は、図１から図１０である。
【００３４】
（図１）
図１では、印刷会社と、その印刷会社に顔写真加工済み写真付きの名刺作成を依頼する依頼者Ａと、顔写真を加工するためのアプリケーションプログラムを提供するアプリ提供者（以下、「アプリ提供者」と略記する）との関係を示している。
【００３５】
依頼者Ａは、名刺に印刷したい名刺用文字データと、加工して印刷してもらう対象となる顔写真データとを、印刷会社へ名刺元データ送信手段にて送信する。  一般的には、依頼者Ａに係るパーソナルコンピュータへ名刺用文字データおよび顔写真データを格納し、通信回線を介して印刷会社へ名刺元データ送信手段にて送信する。送信されたデータは、印刷会社に係るコンピュータにおける名刺元データ受信手段が受信する。
なお、印刷会社の窓口にて、デジタル化されていない名刺用文字データおよび顔写真データを受け付ける方法もあるが、印刷会社としては、デジタル化されていない名刺用文字データおよび顔写真データをデジタルデータに加工し、その後の作業を進めることとなる。
【００３６】
印刷会社に係るサーバは、名刺に印刷したい名刺用文字データ、および加工して印刷してもらう対象となる顔写真データを名刺元データ受信手段が受信したら、顔写真データを、アプリ提供者に係るサーバへ顔写真データ送信手段が送信する。
送信された顔写真データは、アプリ提供者に係るサーバの顔写真データ受信手段が受信する。そして、受信した顔写真データは、顔写真データ加工手段が加工する。この加工にて具体的にどうするのかについては、後述する。
【００３７】
アプリ提供者に係るサーバにおける加工済みデータ送信手段から送信された加工済みデータは、印刷会社のサーバにおける加工済みデータ受信手段が受信する。そして、予め受け取っていた名刺用文字データとともに印刷用データとし、名刺印刷手段にて名刺を印刷する。  印刷された名刺は物理的な存在なので、依頼者Ａは、郵送業者などを介して受け取ることとなる。
なお、依頼者Ａがデスクトップパブリッシングにて自分自身で名刺を印刷できる場合、依頼者と印刷会社とを一体で考えることができる。この場合、名刺元データ送信手段と名刺元データ受信手段とが省略されることとなる（図１０に示す実施形態を参照のこと）。
【００３８】
（図２）
図２もまた、印刷会社と、その印刷会社に顔写真加工済み写真付きの名刺作成を依頼する依頼者Ａと、顔写真を加工するためのアプリケーションプログラム（以下、「写真加工用アプリ」と記す）を提供するアプリ提供者との関係である。図１に示した実施形態と異なるのは、アプリ提供者が自らのサーバに置いて加工済みデータを作成するのではなく、印刷会社において加工済みデータを作成できるように、写真加工用アプリを印刷会社へ提供している点である。
【００３９】
なおこの場合も、依頼者Ａがデスクトップパブリッシングにて自分自身で名刺を印刷できるのであれば、依頼者と印刷会社とを一体で考えることができ、名刺元データ送信手段と名刺元データ受信手段とが省略される（図９に示す実施形態を参照のこと）。
アプリ提供者によって提供される写真加工用アプリがどのような機能をなすか、については、図１における顔写真データ加工手段と同様であり、後述する。
なお、アプリ提供者は、印刷された名刺における顔写真加工済みデータを復元するための復元アプリを、依頼者Ａやその依頼者Ａから名刺を受け取った第三者に対して提供する。この点については、図３に基づいて説明する。
【００４０】
（図３）
図３は、依頼者Ｂ（依頼者Ａから名刺を受け取った第三者）が、自らに係るカメラ付き携帯情報端末（スマートフォンやタブレットコンピュータ）にて、名刺に印刷された顔写真加工済みデータを復元する様子を示している。
【００４１】
依頼者Ｂは、カメラ付き携帯情報端末（の復元アプリ要請送信手段）にて、復元アプリをダウンロードしたい旨の要請を送信する。
アプリ提供者に係るサーバ（の復元アプリ要請受信手段）は、そのダウンロード要請を受信する。そして、サーバの復元アプリ送信手段が当該カメラ付き携帯情報端末へ復元アプリを送信する。送信された復元アプリケーションは、当該カメラ付き携帯情報端末（の復元アプリ受信手段）が受信する。
【００４２】
その復元アプリを起動可能となった当該カメラ付き携帯情報端末は、復元アプリを起動させ、そのカメラにて顔写真加工済みデータをかざす。すると、カメラ付き携帯情報端末における出力画面には、加工済みデータを復元アプリによって加工前の状態へ並び替えた顔写真復元済みデータ（復元された元の顔写真）が映し出される。
なお、スマートフォンのオペレーティングシステム（ＯＳ）は複数存在するので、復元アプリもＯＳに合わせた種類（最低でも代表的なＯＳに適合するもの）を用意する必要がある。
【００４３】
（図４）
図４を用いて、図１の「顔写真データ加工手段」および図２の「写真加工用アプリ」の機能について説明する。
図４（Ａ）は顔写真データ、図４（Ｂ）は図４（Ａ）における画像を４×４の１６コマに分割して並べ替えたモデルである。
図４（Ｃ）は具体的な顔写真データ、図４（Ｄ）は図４（Ｃ）の顔写真データを１５×１５の２２５コマに分解した上で並べ替えた加工済みデータ、図４（Ｅ）は図４（Ｄ）へイニシャルを表示した加工済みデータ、をそれぞれ示す。
【００４４】
図４（Ａ）および（Ｃ）に示すように、顔写真データには、顔の背景となる「非主要領域」が存在する（「非主要領域」が存在しない画像データの場合には顔写真データとして不適切と言える）。
この「非主要領域」を用いて、依頼者Ａのイニシャルなどを形成し、図４（Ｅ）のような加工済みデータを形成する。イニシャルを入れることで、名刺用文字データと顔写真データとの不一致を防ぐ、といった使い方ができる。
【００４５】
なお、「顔写真データ加工手段」および図２の「写真加工用アプリ」の機能としては、顔写真データの全てを分割することとして説明したが、一部であってもよい。たとえば、顔認識ソフトを用いて、顔の中の「目」およびその周囲のみを複数に分割して並べ替えることでも、本発明の目的は達成でき、効果も得られる。
【００４６】
（図５）
図５は、図４に示したバリエーションであり、図５（Ｂ）が大きく異なる。すなわち、図５（Ｂ）では図５（Ａ）に示す顔写真データの非主要領域を拡大する。つまり、オリジナルの画像には存在しない部位が増える。その増えた部位を用いてイニシャルの表示部分を形成するのである。
【００４７】
（図６）
図６は、図３の下半分にて示した概念図を、具体的な例として示したものである。
図６（Ａ）は、復元アプリを起動可能となった当該カメラ付き携帯情報端末において、そのカメラにて顔写真加工済みデータをかざした状態である。
図６（Ｂ）は、復元アプリを起動させ、カメラ付き携帯情報端末における出力画面に顔写真復元済みデータ（復元された元の顔写真）を映し出した状態である。
【００４８】
（図７）
顔写真データ加工手段またはアプリ提供者が提供する写真加工用アプリがどのような機能をなすか、について、図７に基づいて説明する。
まず、図７（Ａ）に示すように、加工前の画像データの一部または全部を分割する。この図７では、画像データの全部を３×３に９分割しているが、顔写真の場合、目の周辺部分のみといった一部だけを分割することとしてもよい。
【００４９】
図７（Ｂ）に示すように、分割した際にできる各コマに対して隣り合うコマとの間に重複領域を設定する。
図７（Ｃ）に示したのは、重複領域を増やした状態で各コマを、元通りの順序に並べている。重複領域が存在することで、サイズがやや大きくなる。
【００５０】
図７（Ｄ）では、図７（Ｃ）の状態で図７（Ｂ）と同じ３×３に９分割する。
図７（Ｅ）は、図７（Ｄ）の状態で、すなわち重複領域とともに、各コマの並びを並べ替えている。この状態が「加工済みデータ」となるのである。
【００５１】
前記の「重複領域」とは、顔写真加工済みデータを復元するための携帯情報端末のカメラ（入力装置）や画面（出力装置）のパフォーマンスが高くない場合などにおいて、復元の際に生じる不具合を予め防止するために設定している。
図７（Ｆ）に示すのは、復元アプリを起動させたカメラ付き携帯情報端末における出力画面に元の配置に並び替えて重複領域を削除し、復元された元の顔写真を映し出させた状態である。
なお、重複領域ともに、一番外側に位置していた部分（いわゆる糊代）を削除するので、（Ａ）〜（Ｆ）の中では、（Ｆ）のサイズが一番小さくなる。
【００５２】
（図８）
図８では、図７に示した「重複領域の設定」をしなかった場合である。この場合には、図８（Ａ）に示すように画像を分割し、図８（Ｂ）に示すように分割された各コマを並べ替えていることで、「加工済みデータ」を形成する。
この図８（Ｂ）に示す「加工済みデータ」を、カメラ（入力装置）や画面（出力装置）のパフォーマンスが高くない携帯情報端末にて復元した場合、図８（Ｃ）に示すように、分割時の境目付近が綺麗に復元できないことがある。
【００５３】
図示を省略するが、顔写真データ加工手段またはアプリ提供者が提供する写真加工用アプリは、その顔写真データにおける少なくとも顔部分の一部または全部を複数に分割するとともに、その分割した部分を分割前と異ならせるように回転させて加工済みデータとするとしてもよい。
分割の形状は、前述してきた実施形態のように正方形であれば時計回りに９０度、１８０度、２７０度である。
【００５４】
分割の形状は、前述してきた実施形態では正方形のみを採用したが、正六角形や円を採用してもよい。
正六角形の場合には、６０度、１２０度、１８０度、２４０度、３００度であり、円の場合には、任意の角度である。
【００５５】
なお、図示および詳細な説明を省略しているが、分割した各コマを、並べ替えた上で回転させることとしてもよい。
【００５６】
（図９）
図９は、デスクトップパブリッシング（ＤＴＰ）が可能な依頼者Ｃが、アプリ提供者から、写真加工用アプリの提供を受け、自分で名刺を印刷する場合を概念的に示している。
この実施形態の場合には、写真加工用アプリを、所定の契約や対価の支払いによって、依頼者Ｃがアプリ提供者から写真加工用アプリをダウンロードして用いることとなる。
なお、依頼者と印刷会社とを一体ではなく別の主体として考える場合については、図２に示す実施形態となる。
【００５７】
（図１０）
図１０もまた、デスクトップパブリッシング（ＤＴＰ）が可能な依頼者Ｄに関する実施形態である。図９との相違点は、アプリ提供者から写真加工用アプリの提供を受けるのではなく、アプリ提供者へ顔写真加工を依頼する点である。
なお、依頼者と印刷会社とを一体ではなく別の主体として考える場合については、図１に示す実施形態となる。
【００５８】
図示を省略するが、印刷に係る名刺の紙面の一部には、二次元バーコードを印刷することとしてもよい。  その二次元バーコードは、インターネット接続可能なカメラ付きの情報端末にて読み取ることで前記顔写真データ加工手段が加工した加工済みデータを、元通りに復元するためのアプリケーションプログラムをダウンロード可能なサイトへアクセスするためのデータとするのである。
【００５９】
二次元バーコードを印刷することとする「印刷に係る名刺の紙面の一部」とは、両面印刷の名刺の場合における裏面であることが想定される。名刺として必須の情報ではないからである。
なお、スマートフォンでの利用を前提とした場合、複数種類のスマートフォン用オペレーティングシステム（ＯＳ）が存在するので、代表的な二種類の二次元バーコードが印刷されるのが一般的であろう。
【００６０】
このように、裏面に二次元バーコードが印刷された名刺は、インターネット接続可能なカメラ付きの情報端末にて、その二次元バーコードを読み取る。その二次元バーコードは、復元アプリをダウンロード可能なサイトへアクセスするためのＵＲＬとなっているので、その情報端末は、当該サイトへアクセスすることとなる。そこで、情報端末の操作者が当該情報端末へ復元アプリをダウンロードさせる。復元アプリを起動させた当該情報端末は、顔写真データ加工手段が加工した加工済みデータを、元通りの顔写真に復元することが可能となる。
【００６１】
加工済みデータを復元して顔写真を見たいと考える者は、インターネット接続可能なカメラ付きの情報端末にて上記の操作を行わなければならない。この操作を面倒だからやりたくない、という者からは元の顔写真を見ることができないので、顔写真という個人情報が簡易に（緩やかに）保護されることとなる。
【００６２】
上記してきた名刺印刷装置および名刺印刷のためのコンピュータプログラムを用いて作成した名刺は、業種を問わず、営業職には有益である。名刺を用いた情報伝達と、個人情報の簡易な保護とを両立できる技術だからである。
【産業上の利用可能性】
【００６３】
本発明は、印刷業、広告業、コンピュータソフトウェアの開発業、コンピュータソフトウェアのダウンロードサービスなどの流通業、などにおいて、利用可能性を有する。
【図１】
2017007092.tif 000003
【図２】
2017007092.tif 000004
【図３】
2017007092.tif 000005
【図４】
2017007092.tif 000006
【図５】
2017007092.tif 000007
【図６】
2017007092.tif 000008
【図７】
2017007092.tif 000009
【図８】
2017007092.tif 000010
【図９】
2017007092.tif 000011
【図１０】
2017007092.tif 000012